(57)【要約】 【課題】  居住者に対して錠前が無施錠状態になった事実を、解錠した場で知らせること。また、錠前に簡単かつ合理的に付加することができること。【解決手段】  錠前Ｙに無施錠防止装置を付加し、該無施錠防止装置は、サムターン摘みが解除位置にある時、錠前側に設けた検出手段を介して無施錠状態の信号を制御する制御手段と、該制御手段からの駆動信号により外部に音を報知する報知手段と、該報知手段の報知状態を停止させるサムターン摘み、入力手段、計時タイマーのいずれか一つ以上の報知状態停止手段を備えること。【選択図】  図８
2006118229.tif 000002
【特許請求の範囲】
【請求項１】
室内側のサムターン摘みを施錠方向又は解錠方向へと回すと、錠ケース内のダルマを介してデッドボルトがフロントから出没する錠前に於いて、該錠前Ｙに無施錠防止装置Ｘを付加し、該無施錠防止装置Ｘは、前記サムターン摘み８が解除位置にある時、前記錠前Ｙ側に設けた検出手段１５を介して無施錠状態の信号を制御する制御手段１３と、該制御手段１３からの駆動信号により外部に音を報知する報知手段１４と、該報知手段１４の報知状態を停止させる前記サムターン摘み、入力手段、計時タイマーのいずれか一つ以上の報知状態停止手段を備えていることを特徴とする錠前の無施錠防止装置。
【請求項２】
請求項１に於いて、無施錠防止装置Ｘは、扉１の内壁面１ａに固定される面付けケース７を有し、該面付けケース７にサムターン摘みと、該サムターン摘みの回転位置に対応して「無施錠状態」の信号を検出する検出手段１５がそれぞれ設けられていることを特徴とする錠前の無施錠防止装置。
【請求項３】
請求項１に於いて、検出手段１５は、サムターン摘みの周りに複数個配設されていることを特徴とする錠前の無施錠防止装置。
【請求項４】
室内側のサムターン摘みを施錠方向又は解錠方向へと回すと、錠ケース内のダルマを介してデッドボルトがフロントから出没する錠前に於いて、該錠前Ｙに無施錠防止装置Ｘを付加し、該無施錠防止装置Ｘは、前記サムターン摘み８が解除位置にある時、前記錠前Ｙ側に設けた検出手段１５を介して無施錠状態の信号を制御する制御手段１３と、該制御手段１３からの駆動信号により外部に音を報知する報知手段１４と、該報知手段１４の報知状態を停止させる前記サムターン摘み、入力手段、計時タイマーのいずれか一つ以上の報知状態停止手段を備え、さらに、無施錠防止装置Ｘは、報知手段１４の報知に関する識別情報１８ａを格納した記憶部１８を有し、前記制御手段１３は、所定の条件にしたがって、かつ、前記識別情報１８ａに基づき、前記報知手段１４の鳴動を変化させることを特徴とする錠前の無施錠防止装置。
【請求項５】
請求項４に於いて、無施錠防止装置Ｘは、扉１の内壁面１ａに固定される面付けケース７を有し、該面付けケース７にサムターン摘みと、該サムターン摘みの回転位置に対応して「無施錠状態」の信号を検出する検出手段１５と、制御手段１３を駆動させる電源１１がそれぞれ設けられていることを特徴とする錠前の無施錠防止装置。
【請求項６】
請求項５に於いて、サムターン摘み８は磁石を有し、一方、検出手段１５は磁気感応式のスイッチであることを特徴とする錠前の無施錠防止装置。
【発明の詳細な説明】
【技術分野】
【０００１】
本発明は、錠前に付加される錠前の無施錠防止装置に関する。
【背景技術】
【０００２】
特許文献１には、居住者が持ち歩く携帯型の施錠掛け忘れ防止装置が開示されている。この施錠掛け忘れ防止装置は、発信装置、受信装置等が必要であると共に、居住者が錠前から所定距離離間しないと、扉等に設けられた警報装置が起動しない点で問題がある。
【０００３】
一方、特許文献２には、解錠操作に伴って発生する振動を検知するセンサー部と、該センサー部の出力を一定時間ホールドする検波器／遅延回路と、検波器／遅延回路からの出力の発生タイミングでセットされ、所定時間後にリセットされる計時タイマーとを有し、前記計時タイマーによって計時される所定時間を超えて継続したとき、警報器を設定時間内で作動させるピッキング警報装置が開示されている。
【０００４】
しかし、この特許文献２に記載の発明は、ピッキング防止の構成を開示しているに過ぎないので、計時タイマー等を備えているからといって、本発明に適用し難いものである。
【特許文献１】特開平５−２１４８５４号公報
【特許文献２】特許公開２００２−９９９６９
【発明の開示】
【発明が解決しようとする課題】
【０００５】
本発明の主たる目的は、居住者に対して錠前が無施錠状態になった事実を、解錠した場で知らせることである。また、本発明の目的は、錠前に簡単かつ合理的に付加することができることである。さらに、本発明の目的は、居住者に対して錠前が無施錠状態になった事実を、解錠した場で確実に知らせることができることである。加えて、本発明の目的は、報知状態を手動または自動で停止させることができることである。ここで、「解錠した場」とは、難聴でない普通一般の人を基準にした場合に於いて、報知手段からの音を聴別できる範囲をいう。
【課題を解決するための手段】
【０００６】
本発明の錠前の無施錠防止装置は、室内側のサムターン摘みを施錠方向又は解錠方向へと回すと、錠ケース内のダルマを介してデッドボルトがフロントから出没する錠前に於いて、該錠前Ｙに無施錠防止装置Ｘを付加し、該無施錠防止装置Ｘは、前記サムターン摘み８が解除位置にある時、前記錠前Ｙ側に設けた検出手段１５を介して無施錠状態の信号を制御する制御手段１３と、該制御手段１３からの駆動信号により外部に音を報知する報知手段１４と、該報知手段１４の報知状態を停止させる前記サムターン摘み、入力手段、計時タイマーのいずれか一つ以上の報知状態停止手段を備えていることを特徴とする。
【０００７】
また、本発明の錠前の無施錠防止装置は、室内側のサムターン摘みを施錠方向又は解錠方向へと回すと、錠ケース内のダルマを介してデッドボルトがフロントから出没する錠前に於いて、該錠前Ｙに無施錠防止装置Ｘを付加し、該無施錠防止装置Ｘは、前記サムターン摘み８が解除位置にある時、前記錠前Ｙ側に設けた検出手段１５を介して無施錠状態の信号を制御する制御手段１３と、該制御手段１３からの駆動信号により外部に音を報知する報知手段１４と、該報知手段１４の報知状態を停止させる前記サムターン摘み、入力手段、計時タイマーのいずれか一つ以上の報知状態停止手段を備え、さらに、無施錠防止装置Ｘは、報知手段１４の報知に関する識別情報１８ａを格納した記憶部１８を有し、前記制御手段１３は、所定の条件にしたがって、かつ、前記識別情報１８ａに基づき、前記報知手段１４の鳴動を変化させることを特徴とする。
【発明の効果】
【０００８】
（１）独立項に記載の発明は、居住者に対して錠前が無施錠状態になった事実を、解錠した場で知らせることができる。
（２）請求項４に記載の発明は、前記（１）の無施錠状態になった事実を、解錠した場で確実に知らせることができる。
（３）請求項２に記載の発明は、錠前に簡単かつ合理的に付加することができる。特に、請求項５に記載の発明は、電源を備え、ユニット化しているので、簡単に錠前に取り付けることができる。
（４）その他報知状態を手動または自動で停止させることができる。
【発明を実施するための最良の形態】
【０００９】
以下、図１乃至図９に示す本発明を実施するための最良の形態により説明する。
【００１０】
（１）発明の実施の環境
図１は、本発明の実施の環境を示す扉の自由端部側から見た概略説明図である。この図１に於いて、１は扉、１ａは扉の室内側２の内壁面、一方、１ｂは扉の室外側３の外壁面である。
【００１１】
さて、扉の錠前には、錠ケースのフロントからデッドボルトが出没するもの、サムターン摘み側の錠ケースの側壁からデッドボルトが出没するもの、室内側２に位置するサムターン摘みのサムターン軸（駆動芯材）と室外側３に位置するシリンダー錠の駆動軸（テールピースも含む）とが同軸に位置するものと、そうでないものなど色々な型式が存在している。
【００１２】
本発明は、例えば図１，図４で示すように、錠ケース４のフロント５からデッドボルト６が出没する型式の錠前Ｙに適用している。ここで、図１を基準にすると、７はユニットタイプの無施錠防止装置Ｘ（電気的な構成は後述の図８、図９に示す。）の主な構成部材が設けられた面付けケースである。
【００１３】
この面付けケース７は、サムターン摘み８を備え、図示しない固着手段を介して扉１の内壁面１ａに固定されている。したがって、扉１の外壁面１ｂには、シリンダー錠9が固定筒を介して装着され、該シリンダー錠9は、円筒状の飾りキャップ10にカバーされている。
【００１４】
（２）面付けケース７に装着される構成部材
次に、図２は室内側から面付けケース７を見た説明図、一方、図３は室外側からシリンダー錠9を見た説明図、図４は面付けケース７に装着される構成部材及び錠前を構成する主たる部材の位置関係を示す概略断面説明図、図５は面付けケース７に装着される構成部材を示す説明図である。
【００１５】
ここでは図２乃至図５を参照にして各部材を説明する。まず、図４で示すように、７ａは面付けケース７の周壁、７ｂは垂直な外壁である。次に、８は面付けケース７の外壁７ｂの上部側の中央部に回動自在に設けられたサムターン摘みで、このサムターン摘み８は、サムターン（サムターン摘み８，駆動芯部材２５）の一部を構成する。
【００１６】
次に、１１は電源としての電池で、本実施例では、面付けケース７内の下部に図示しない電池収納部を介して設けられている。１２は手動式入力手段の一例としての押しボタンスイッチで、この入力手段１２は、面付けケース７の外壁７ｂの下部側の適宜部位に設けられている。１３は制御手段してのマイクロコンピュータで、この制御手段１３はプリント基板を介して電源１１の上方に配設されている。１４は報知手段としてのブザーで、この報知手段１４は前記外壁７ｂの上部側の適宜部位に設けられている。
【００１７】
次に、図２で示すように、１５は施・解錠状態検出手段で、本実施例では、右勝手及び左勝手を考慮してサムターン摘み８の周りに位置するように面付けケース７の外壁７ｂに左右一対設けられている。一つ施・解錠状態検出手段１５（例えば左側に位置するリードスイッチ）は右勝手用に、一方、他の施・解錠状態検出手段１５（例えば右側に位置するリードスイッチ）は左勝手用に利用される。本実施例の施・解錠状態検出手段１５は、磁気感応式のスイッチが採用されていることから、可動部材の一例であるサムターン摘み８の内側には、小片状の永久磁石１６が設けられている。なお、前述した電源１１、入力手段１２、制御手段１３、報知手段１４、施・解錠状態検出手段１５は電気的に接続している。
【００１８】
（３）錠前の構造
図４を参照にして錠前Ｙの構造を説明する。本発明の錠前Ｙは、合鍵２１を室外側のシリンダー錠９の内筒に差込み、施錠方向又は解錠方向に回すと、ダルマ２３並びに駆動芯部材２５を介して室内側のサムターン摘み８も施錠方向又は解錠方向へと連動して回り、その結果、前記ダルマ２３の駆動腕を介してデッドボルト６がフロント５から出没する。
もちろん、サムターン摘み８を施錠方向又は解錠方向に回すと、ダルマを介して少なくともデッドボルト６がフロント５から出没する（なお、錠前Ｙの機構部の構造上、サムターン摘み８を回しても、シリンダー錠９の内筒は回らない）。
【００１９】
ここでは、錠前の具体的な構造は発明の特定（限定）要件ではないので、図４を参照にして簡単に説明する。２２はシリンダー錠用の固定筒、２３はダルマ、２４はダルマ用支持部材、２５は駆動芯部材、２５ａは駆動芯部材２５を構成する駆動軸、２５ｂは駆動軸２５ａに外嵌合するサムターンコアである。なお、前記サムターンダルマ２３は半径外方向に延伸するデッドボルト６用の駆動腕を有し、左右一対の支持部材２４に回動自在に支持されている。
【００２０】
（４）基本的なブロック図
図８を参照に基本的なブロック図を説明する。まず、１１は面付けケース７に内蔵された電源で、該電源１１は、例えば単３型電池二本であり、電源収納部に適宜にセットされる。なお、電源１１は、設計如何によっては外部の電源でも良い。
【００２１】
次に、１３は前記電源１１により駆動する制御手段で、該制御手段１３は施・解錠状態検出手段１５の検出信号、入力手段１２からの入力信号（停止信号）、計時タイマー１７からの出力信号（停止信号）をそれぞれ処理する。
【００２２】
また、制御手段１３は前記入力信号や出力信号（計時タイマー１７から受け取る信号）に基づき、必要に応じて記憶部１８に格納されている識別情報（基準値、音に関する情報等）１８ａにアクセスし、かつ、該記憶部１８から取得した鳴動に関する識別情報（音の強弱、速さ等）１８ａに基づいて報知手段１４に制御信号を出力する。
【００２３】
次に、１２は手動式入力手段で、該入力手段１２は、報知手段１４の駆動を停止するために利用される。したがって、例えば居住者が押しボタン式のスイッチ１２を押すと、その入力信号（停止信号）が制御手段１３に入力され、制御手段１３は該入力信号に基づき、報知手段１４に制御信号を出力する。報知手段１４は、サイレントドライブ回路を含み、制御手段１３からの駆動信号又は停止信号に基づき増幅部１９を介して外部に対して報知（鳴動）し、又は報知（鳴動）を止める。
【００２４】
次に、施・解錠状態検出手段１５は、図２または図５で示すように、サムターン摘み８の永久磁石１６が該施・解錠状態検出手段１５から所要量離れた時（錠前Ｙが解錠状態の時）に、「無施錠状態」の信号を検出する。この検出信号は直ちに制御手段１３に入力される。
【００２５】
次に、計時タイマー１７は報知手段１４の報知（鳴動）状態を停止するために利用される。すなわち、制御手段１３は、計時タイマー１７の計時中に入力手段１２からの入力信号（停止信号）を受け取らず、かつ、計時した所定時間を超えた場合に記憶部１８の識別情報１８ａを参照にして停止信号を報知手段１４に出力する。
【００２６】
ところで、本実施例の該報知手段１４の報知状態を停止させる報知状態停止手段は、サムターン摘み８、手動式入力手段１２、計時タイマー１７のいずれか一つ以上である。
【００２７】
また、図８の基本的なブロック図には、制御手段と電気的に接続する遅延回路、制御手段の各種機能を図示しないが、必要に応じて遅延回路や各種機能が加味される。ここでの「遅延回路」は、例えばサムターン側又はシリンダー側の操作により錠前Ｙが「無施錠状態」になった場合に於いて、数秒ないし数十秒（例えば５秒、７秒、８秒、１０秒、１２秒など）後に報知手段１４に対して駆動信号を出力させるようにすることである。また、「各種機能」の例としては、点灯・点滅機能、音声機能などがある。
【００２８】
（５）フローチャート
図９を参照にして作動態様を説明する。本発明の無施錠装置Ｘの一例は、図８に示す通りであるが、報知手段１４の報知する条件は、（ア）サムターン側でサムターン摘み８を解除位置へと回した時、（イ）またはシリンダー側で合鍵２１をシリンダー錠９の内筒に挿入して解除位置へと回した時である。
【００２９】
一方、報知手段１４の報知を停止する条件は、（ａ）サムターン側またはシリンダー側で施錠した時、（ｂ）押しボタン式の入力手段１２を押した時、（ｃ）報知手段１４が鳴ってから計時した所定時間を超えた時のいずれか一つである。
【００３０】
したがって、上記を前提にして、図９のフローチャートを簡単に説明する。Ｓ１は「解除発生」である。この解除発生は前述した（ア）と（イ）のいずれかの場合である。Ｓ１ではサムターン摘み８の永久磁石１６がリードスイッチ１５から離れる（図２，図５）ので、制御手段１３は、検出手段１５から「無施錠状態」の信号を受け取る。
【００３１】
Ｓ２は、制御手段１３が報知手段１４に駆動信号を送るので、「ブザー鳴動１（１ピピッ／ｓｅｃ）」の状態になる。このブザー鳴動１の態様は、記憶部１８に記憶されている識別情報１８ａによって決定される。本実施例では、第１段階のブザー鳴動１は、「ピピッ、ピピッ……」という具合に１９回（１９秒間）鳴り響く。この第１段階の報知（鳴動）の間に入力手段１２、シリンダー錠９に対する施錠、サムターン摘み８の操作による施錠のいずれか一つが実行されると（Ｓ３）、一気にＳ４に進み、報知手段１４の報知は停止する（低消費電力モード）。この場合に於いて、施錠状態になると、サムターン摘み８の永久磁石１６はリードスイッチ１５に対向する（右勝手の場合の図７）。
【００３２】
Ｓ５は、第１段階のブザー鳴動１中に停止ボタンの押動または施錠が存在しない場合の基準値（２０回）の段階を示す。本実施例では２０回（２０秒間）を基準値にしているので、前述したように１９回までは「ピピッ、ピピッ……」の音を繰り返すが、２０回以上になると、Ｓ６の「ブザー鳴動２（１はピピピピピ／ｓｅｃ）」のように、音が強く、かつ、速くなる。このブザー鳴動２の態様は、記憶部１８に記憶されている識別情報１８ａによって決定される。この状態において、前述した（ａ）または（ｂ）が実行（Ｓ７）されると、前述したＳ４に進む。
【００３３】
一方、前記（ａ）または（ｂ）が実行されず、「ピピッ、ピピッ……」の鳴動２が継続し、ついには４０回（４０秒間）の段階Ｓ８に達すると、前述した（ｃ）となる。すなわち、制御手段１３は計時タイマー１７のカウント信号と記憶部１８に予め設定されている停止情報１８ａに関する基準値とを比較した上で、停止信号を報知手段１４に出力する。
【００３４】
報知手段１４のサイレンドライブ回路は該停止信号によりを鳴動２の状態を停止させる。このように、本実施例の報知手段１４は、記憶部１８に記憶されている識別情報に基づき知能的に「鳴動１レベル」から「鳴動２レベル」へと変化させる。したがって、居住者は鳴動に気づき、錠前Ｙを施錠をする確実性が高まる。
【実施例】
【００３５】
本発明の実施例に於いて、例えば錠ケース４のフロント５からデッドボルト６が出没する型式の錠前Ｙに適用しているが、これに限定するものではない。型式を問わず、少なくとも室内側のサムターン摘みを施錠方向又は解錠方向へと回すと、錠ケース４内のダルマ２３を介してデッドボルト６がフロント５から出没する錠前に適用される。
【００３６】
また、検出手段の一例としてのリードスイッチ１５に代えて可動接片を有するマイクロスイッチを用いても良い。要は、スイッチ手段１５が非接触型又は接触型のいずれであれ、サムターン摘み８を解錠位置へと回した時に、錠前Ｙが「無施錠状態」になったことを検出できれば良い。さらに、報知手段１４、制御手段１３及び電源１１は、面付けケース７に設けることが望ましいが、面付けケース７以外の箇所に設置しても良い。
【産業上の利用可能性】
【００３７】
本発明は、主に建具や錠前の業界で利用される。
【図面の簡単な説明】
【００３８】
図１乃至図９は本発明の最良の実施例（一実施例）を示す各説明図。
【図１】実施の環境状態を示す概略説明図。
【図２】室内側から面付けケース７を見た説明図。
【図３】室外側からシリンダー錠9を見た説明図。
【図４】面付けケース７に装着される構成部材及び錠前を構成する主たる部材の位置関係を示す概略断面説明図。
【図５】面付けケース７に装着された要部を示す説明図。
【図６】錠前が施錠状態の場合の説明図。
【図７】図６に於いて、要部（永久磁石と検出手段）の位置関係の説明図。
【図８】本発明の基本的なブロック図。
【図９】フローチャート。
【符号の説明】
【００３９】
Ｘ…無施錠防止装置、Ｙ…錠前、１…扉、２…室内側、３…室外側、４…錠ケース、５…フロント、６…デッドボルト、７…面付けケース、８…サムターン摘み、９…シリンダー錠、１１…電源、１２…入力手段、１３…制御手段、１４…報知手段、１５…検出手段、１６…磁石、１７…計時タイマー、１８…記憶部、１８ａ…識別情報、１９…、２３…ダルマ、２５…駆動芯部材。
【図１】
2006118229.tif 000003
【図２】
2006118229.tif 000004
【図３】
2006118229.tif 000005
【図４】
2006118229.tif 000006
【図５】
2006118229.tif 000007
【図６】
2006118229.tif 000008
【図７】
2006118229.tif 000009
【図８】
2006118229.tif 000010
【図９】
2006118229.tif 000011